(57)【特許請求の範囲】
【請求項１】
携帯情報端末と情報蓄積装置とが通信回線網を介して接続され、前記携帯情報端末で音声により入力するイベントの内容とその日時のうちイベントの内容を前記情報蓄積装置に記憶する構成のスケジュール管理システムであって、
前記携帯情報端末は、
音声入力されたイベント内容に当該イベント内容と他のイベント内容とを識別するための識別情報を割り当てる手段と、
イベント内容は当該イベント内容に割り当てられた識別情報とともに前記情報蓄積装置へ送信し、当該イベント内容に割り当てられた前記識別情報と当該イベントの日時とを内部メモリに記憶する手段と、
前記内部メモリに記憶されている識別情報を前記情報蓄積装置へ送信して、当該識別情報に対応するイベント内容の送信を要求する手段と
を具備し、
前記情報蓄積装置は、
前記携帯情報端末から送られてきたイベントの内容と識別情報とを対応付けて記憶する手段と、
前記携帯情報端末から識別情報が送られてきた時、当該識別情報に対応するイベント内容を検索して前記携帯情報端末へ送信する手段と
を具備する
ことを特徴とするスケジュール管理システム。
【請求項２】
前記携帯情報端末は、現在の日時と内部メモリに記憶しているイベントの日時とを比較して一致する日時があると、イベントがある旨を報知することを特徴とする請求項１記載のスケジュール管理システム。
【請求項３】
前記携帯情報端末は、前記報知がなされているときに、イベント内容を確認するための操作が為されると、前記内部メモリに記憶されている対応する識別情報を前記情報蓄積装置へ送信してイベント内容の送信を要求することを特徴とする請求項２記載のスケジュール管理システム。
【請求項４】
前記携帯情報端末は、週単位もしくは月単位のカレンダを表示する手段と、前記内部メモリに記憶しているイベントの日時に基づいてイベントの有無を前記カレンダ上に表示する手段と、該手段により表示されたカレンダ上のイベントを選択的に指示する手段とを具備し、指示手段によりイベントが指示されると、前記内部メモリに記憶されている対応する識別情報を前記情報蓄積装置へ送信してイベント内容の送信を要求することを特徴とする請求項１乃至３の何れかに記載のスケジュール管理システム。
【請求項５】
携帯情報端末と情報蓄積装置とが通信回線網を介して接続され、前記携帯情報端末で音声により入力するイベントの内容とその日時のうちイベントの内容を前記情報蓄積装置に記憶する構成のシステムにおけるスケジュール管理方法であって、
前記携帯情報端末は、音声入力されたイベント内容に当該イベント内容と他のイベント内容とを識別するための識別情報を割り当て、イベント内容に割り当てられた識別情報と当該イベントの日時とを内部メモリに記憶するとともにイベント内容を当該イベント内容に割り当てられた前記識別情報とともに前記情報蓄積装置へ送信し、
前記情報蓄積装置は、前記携帯情報端末から送られてきたイベントの内容と識別情報とを対応付けて記憶し、
前記携帯情報端末は、イベント内容を確認する際に、前記内部メモリに記憶されている、当該イベント内容に割り当てられた識別情報を前記情報蓄積装置へ送信して、当該識別情報に対応するイベント内容の送信を要求し、
前記情報蓄積装置は、前記携帯情報端末から送られてきた識別情報に対応するイベント内容を検索して前記携帯情報端末へ送信する
ことを特徴とするスケジュール管理方法。
【請求項６】
前記携帯情報端末は、現在の日時と内部メモリに記憶しているイベントの日時とを比較して一致する日時があると、イベントがある旨を報知することを特徴とする請求項５記載のスケジュール管理方法。
【請求項７】
前記携帯情報端末は、前記報知がなされているときに、イベント内容を確認するための操作が為されると、前記内部メモリに記憶されている対応する識別情報を前記情報蓄積装置へ送信してイベント内容の送信を要求することを特徴とする請求項６記載のスケジュール管理方法。
【請求項８】
前記携帯情報端末は、前記内部メモリに記憶しているイベントの日時に基づいて、週単位もしくは月単位のカレンダ上にイベントの有無を表示し、表示されたカレンダ上のイベントが指示されると、前記内部メモリに記憶されている対応する識別情報を前記情報蓄積装置へ送信してイベント内容の送信を要求することを特徴とする請求項５乃至７の何れかに記載のスケジュール管理方法。
【請求項９】
通信回線網を介して情報蓄積装置と接続可能な携帯情報端末であって、
イベントの日時を入力するイベント日時入力手段と、
イベントの内容を音声で入力するイベント内容入力手段と、
前記イベント内容入力手段により入力されたイベント内容に当該イベント内容と他のイベント内容とを識別するための識別情報を割り当てる手段と、
前記イベント内容入力手段により入力されたイベント内容は当該イベント内容に割り当てられた識別情報とともに前記情報蓄積装置へ送信し、当該イベント内容に割り当てられた前記識別情報と当該イベントの日時とを内部メモリに記憶する手段と、
前記内部メモリに記憶されている識別情報を前記情報蓄積装置へ送信して、当該識別情報に対応するイベント内容の送信を要求する手段と、
前記情報蓄積装置から送信される当該識別情報に対応するイベント内容を受信し、受信したイベント内容を報知する手段と
を具備することを特徴とする携帯情報端末。
【請求項１０】
現在の日時と内部メモリに記憶しているイベントの日時とを比較して一致する日時があると、イベントがある旨を報知する手段を具備することを特徴とする請求項９記載の携帯情報端末。
【請求項１１】
前記報知がなされているときに、イベント内容を確認するための操作が為されると、前記内部メモリに記憶されている対応する識別情報を前記情報蓄積装置へ送信してイベント内容の送信を要求することを特徴とする請求項１０記載の携帯情報端末。
【請求項１２】
週単位もしくは月単位のカレンダを表示する手段と、前記内部メモリに記憶しているイベントの日時に基づいてイベントの有無を前記カレンダ上に表示する手段と、該手段により表示されたカレンダ上のイベントを選択的に指示する手段とを更に具備し、指示手段によりイベントが指示されると、前記内部メモリに記憶されている対応する識別情報を前記情報蓄積装置へ送信してイベント内容の送信を要求することを特徴とする請求項９乃至１１の何れかに記載の携帯情報端末。
【発明の詳細な説明】
【０００１】
【産業上の利用分野】
本発明は、電話回線を介して情報を授受する携帯情報端末におけるスケジュール管理に係り、特に、通信システムを利用したスケジュール管理システム、管理方法および携帯情報端末に関する。
【０００２】
【従来の技術】
従来より、利用者に携帯され、電卓の機能に加え、住所録、スケジュールを管理したり、文字によるメモ等を蓄積できる携帯情報端末（電子手帳）が知られている。また、近年、無線通信システムにおける端末として、利用者に携帯され、一般の家庭内電話機を含む他の端末と、音声やデータを相互に通信する無線通信携帯情報端末（例えば、携帯電話機、ＰＨＳ端末:Personal Handy Phone System端末、ＰＤＡ:Personal Digital Assistant等）が知られている。この無線通信携帯情報端末は、直接、他の端末と通信したり、広範囲な地域に敷設された通信網に所定の間隔で配設された無線基地局を介して、通信網である公衆回線に接続された上で、同様に無線基地局を介して無線通信によって通信網に接続された他の端末と通信することができる。上記無線基地局は、無線通信携帯情報端末と無線通信によって情報を授受し、無線通信携帯情報端末と通信網との間での通信経路を確立する中継器である。これら携帯情報端末や、無線通信携帯情報端末は、携帯した上で使用できるように二次電池等により駆動され、上述したように、相手先の電話番号や、住所録、スケジュールを管理したり、文字によるメモ等の各種データを蓄積できるようになっている。
【０００３】
【発明が解決しようとする課題】
ところで、従来の無線通信携帯情報端末において、上述したスケジュール管理とは、将来の予定、行動（以下、イベントという）等を日時とともに予め入力しておき、その日時になると、アラームを鳴らすなどして利用者に知らせるものである。しかしながら、従来の携帯情報端末や、無線通信携帯情報端末では、イベントの内容などのスケジュールデータの総てを内部メモリに記憶していたので、大きな容量のメモリが必要であるという不都合があった。
【０００４】
そこで本発明は、携帯情報端末のメモリ容量が少なくても済むスケジュール管理システム、管理方法および携帯情報端末を提供することを目的とする。
【０００５】
【課題を解決するための手段】
上記目的達成のため、請求項１記載の発明は、携帯情報端末と情報蓄積装置とが通信回線網を介して接続され、前記携帯情報端末で音声により入力するイベントの内容とその日時のうちイベントの内容を前記情報蓄積装置に記憶する構成のスケジュール管理システムであって、
前記携帯情報端末が、音声入力されたイベント内容に当該イベント内容と他のイベント内容とを識別するための識別情報を割り当てる手段と、イベント内容は当該イベント内容に割り当てられた識別情報とともに前記情報蓄積装置へ送信し、当該イベント内容に割り当てられた前記識別情報と当該イベントの日時とを内部メモリに記憶する手段と、前記内部メモリに記憶されている識別情報を前記情報蓄積装置へ送信して、当該識別情報に対応するイベント内容の送信を要求する手段とを具備し、
前記情報蓄積装置が、前記携帯情報端末から送られてきたイベントの内容と識別情報とを対応付けて記憶する手段と、前記携帯情報端末から識別情報が送られてきた時、当該識別情報に対応するイベント内容を検索して前記携帯情報端末へ送信する手段とを具備することを特徴とする。
【０００６】
また、請求項５記載の発明は、携帯情報端末と情報蓄積装置とが通信回線網を介して接続され、前記携帯情報端末で音声により入力するイベントの内容とその日時のうちイベントの内容を前記情報蓄積装置に記憶する構成のシステムにおけるスケジュール管理方法であって、
前記携帯情報端末が、音声入力されたイベント内容に当該イベント内容と他のイベント内容とを識別するための識別情報を割り当て、イベント内容に割り当てられた識別情報と当該イベントの日時とを内部メモリに記憶するとともにイベント内容を当該イベント内容に割り当てられた前記識別情報とともに前記情報蓄積装置へ送信し、
前記情報蓄積装置が、前記携帯情報端末から送られてきたイベントの内容と識別情報とを対応付けて記憶し、
前記携帯情報端末は、イベント内容を確認する際に、前記内部メモリに記憶されている、当該イベント内容に割り当てられた識別情報を前記情報蓄積装置へ送信して、当該識別情報に対応するイベント内容の送信を要求し、
前記情報蓄積装置は、前記携帯情報端末から送られてきた識別情報に対応するイベント内容を検索して前記携帯情報端末へ送信する
ことを特徴とする。
【０００７】
また、請求項９記載の発明は、通信回線網を介して情報蓄積装置と接続可能な携帯情報端末であって、イベントの日時を入力するイベント日時入力手段と、イベントの内容を音声で入力するイベント内容入力手段と、前記イベント内容入力手段により入力されたイベント内容に当該イベント内容と他のイベント内容とを識別するための識別情報を割り当てる手段と、前記イベント内容入力手段により入力されたイベント内容は当該イベント内容に割り当てられた識別情報とともに前記情報蓄積装置へ送信し、当該イベント内容に割り当てられた前記識別情報と当該イベントの日時とを内部メモリに記憶する手段と、前記内部メモリに記憶されている識別情報を前記情報蓄積装置へ送信して、当該識別情報に対応するイベント内容の送信を要求する手段と、前記情報蓄積装置から送信される当該識別情報に対応するイベント内容を受信し、受信したイベント内容を報知する手段とを具備することを特徴とする。
【００１０】
【作用】
本発明では、前記携帯情報端末は、音声により入力されたイベント内容とその日時のうちイベント内容を当該イベント内容に割り当てられた前記識別情報と共に前記蓄積装置に送信すると共に、当該イベント内容に割り当てられた前記識別情報と当該イベントの日時とを内部メモリに記憶保持し、前記情報蓄積装置は、前記携帯情報端末から送られてきたイベント内容と識別情報とを対応付けて記憶する。したがって、携帯情報端末に大容量の記憶手段を備える必要がなくなる。また、前記携帯情報端末は、イベント内容の確認が必要な際には、内部メモリに記憶している識別情報を前記情報蓄積手段へ送信することにより、情報蓄積手段から取り寄せることができる。
【００１１】
【実施例】
以下、図面を参照して本発明の実施例について説明する。本実施例では、ＰＨＳ端末に適用した例について説明する。
Ａ．実施例の構成
Ａ−１．無線通信システムの構成
図１は本発明の実施例によるＰＨＳ端末等の無線通信システムの構成を示すブロック図である。図において、１は、網管理局であり、電話回線網４を介して、各無線基地局を接続し、ＰＨＳ端末間での通信を制御する管理する。２は、サービス管理局であり、データベース３にボイスメールや、画像データ、テキストデータ等を蓄積し、後述するＰＨＳ端末６からの要求に応じて、上記ボイスメールやテキストデータ、画像データを利用者に与える各種のサービスを提供する。特に、本実施例（第２の実施例）では、上記データベース３には、後述するように、ＰＨＳ端末６で入力されたイベント内容としての音声データが記憶されるようになっている。なお、このイベント内容としての音声データは、後述する各ＰＨＳ端末６に設けれたメモリ１８に記憶されるようにし、ＰＨＳ端末６で管理するようにしてもよい（第１の実施例）。このように、本発明では、イベント内容は、音声データとして入力され、記憶・管理されることを特徴としている。また、上記網管理局１とサービス管理局２とは１つのものであってもよい。
【００１２】
次に、電話回線網４は、全国に張り巡らされた通常のアナログ電話回線網、あるいは専用のデジタル回線網である。次に、無線基地局５，５は、電話回線網４に所定間隔で設置されており、電話回線網４とＰＨＳ端末６，６とを無線で接続する中継局である。図には、２つの無線基地局しか示されていないが、実際には、これら無線基地局５は、屋内であれば、家庭内、各施設内、施設の部屋、フロアー、屋外であれば、数百メートル毎に設けられている。次に、ＰＨＳ端末６，６は、利用者に携帯され、近傍に設置された無線基地局５に対して、無線によって回線接続要求を出して他のＰＨＳ端末６や、家庭内の通常の電話機７と通話したり、同無線基地局５を介してサービス管理局２によるサービスを受けたりする。
【００１３】
Ａ−２．ＰＨＳ端末の構成
次に、図２は本発明の実施例によるＰＨＳ端末の構成を示すブロック図である。図において、１０は送受信部であり、受信部および送信部からなる周波数変換部と、受信部および送信部からなるモデムとから構成されている。周波数変換部の受信部は、送信／受信を振り分けるアンテナスイッチを介して入力される、アンテナＡＮＴで受信した信号を、ＰＬＬシンセサイザから出力される所定周波数の局部発振信号と混合することにより、１．９ＧＨｚ帯から１ＭＨｚ帯付近のＩＦ（中間周波）信号に周波数変換する。また、周波数変換部の送信部は、後述するモデムから供給されるπ／４シフトＱＰＳＫの変調波をＰＬＬシンセサイザから出力される所定周波数の局部発振信号と混合することにより、１．９ＧＨｚ帯に周波数変換し、アンテナスイッチを介してアンテナＡＮＴから輻射する。次に、上述したモデムの受信部は、周波数変換部からのＩＦ信号を復調し、ＩＱデータに分離してデータ列とし、通信制御部１１へ送出する。また、モデムの送信部では、通信制御部１１から供給されるデータからＩＱデータを作成して、π／４シフトＱＰＳＫの変調をして、送受信部１０の周波数変換部へ送出する。
【００１４】
次に、通信制御部１１は、送信側および受信側とで構成されており、フレーム同期およびスロットのデータフォーマット処理を行う。上記受信側は、送受信部１０のモデムから供給される受信データから所定のタイミングで１スロット分のデータを取り出し、このデータの中からユニークワード（同期信号）を抽出してフレーム同期信号を生成し、かつ、制御データ部および音声データ部のスクランブル等を解除した後、制御データを制御部１６へ送出し、音声データを音声処理部１２へ送出する。また、上記送信側は、音声処理部１２から供給される音声データに制御データ等を付加するとともに、スクランブル等を付与した後にユニークワード等を付加して、１スロット分の送信データを作成し、所定タイミングでフレーム内の所定スロットに挿入して送受信部１０のモデムに送出する。
【００１５】
次に、上述した音声処理部１２は、スピーチコーディックおよびＰＣＭコーディックで構成されている。上記スピーチコーディックは、デジタルデータの圧縮／伸張処理を行うものであり、受信側および送信側とで構成されている。受信側は、通信制御部１１から供給されるＡＤＰＣＭ音声信号（４ビット×８ＫＨｚ＝３２Ｋｂｐｓ）をＰＣＭ音声信号（８ビット×８ＫＨｚ＝６４Ｋｂｐｓ）に復号化することにより伸張してＰＣＭコーディックに出力する。送信側は、ＰＣＭコーディックから供給されるＰＣＭ音声信号をＡＤＰＣＭ音声信号に符号化することにより圧縮して通信制御部１１へ送出する。上述したＰＣＭコーディックは、アナログ／デジタル変換処理を行うものであり、受信側は、スピーチコーディックから供給されるＰＣＭ音声信号をＤ／Ａ変換によりアナログ音声信号へ変換し、スピーカ１３から発音させ、送信側はマイク１４から入力されたアナログ音声信号をＡ／Ｄ変換によりＰＣＭ信号に変換し、スピーチコーディックに送出する。
【００１６】
次に、キー入力部１５は、相手先の電話番号を入力する数値キーや、オンフック／オフフックを行うスイッチ、音声出力を変えるボリュームスイッチ等から構成される。これらキーやスイッチの状態は制御部１６に供給される。次に、制御部１６は、所定のプログラムに従って装置全体を制御する。特に、本実施例では、後述するフローチャートに従って、イベント内容を入力したり、その内容を確認するなどのスケジュールモードにおいて、音声データの入力や、再生（確認）、所定日時でのアラーム音鳴動等の制御を行うようになっている。ＲＯＭ１７には上記制御部１６で実行されるプログラムや、種々のパラメータ等が格納されている。また、ＲＡＭ１８には、上記制御部１６の制御に伴って生成されるデータが格納されたり、ワーキングエリアとして用いられるとともに、電話をかける相手先の発信先名、住所、および発信先電話番号が住所録として格納されている。また、ＲＡＭ１８には、本発明の第１の実施例として、イベント内容としての音声データが、その予定日時とともに格納されるようになっている。なお、ＲＡＭ１８の記憶は、図示しない二次電池等からの電源により保持される。
【００１７】
次に、表示部１９は、動作モードや、電話番号、通話時間等の各種データ等を表示する液晶表示器や、スイッチ等のオン／オフ等を示すＬＥＤから構成されており、上記制御部の制御の下、各種データを表示するとともに、タッチパネルとなっており、表示したアイコン等が利用者もしくは後述するタッチペンによって指示（押下）されると、そのアイコンに割り当てられた機能が実行されるようになっている。特に、本実施例では、表示部１９に、スケジュール管理の際におけるカレンダ（週、月）を表示する。次に、計時部２０は、所定のクロックに従って、日付および時刻をリアルタイムで計時しており、該日付および時刻を所定のタイミングで制御部１６へ供給する。この日付および時刻は、スケジュール管理において、現在の日時とイベントの日時とを比較し、該日時に達した場合に、アラームを鳴動する際に用いられる。
【００１８】
Ａ−３．ＰＨＳ端末の外観構成
次に、図３（ａ）は、上述したＰＨＳ端末６の外観構成を示す上面図であり、図３（ｂ）は同ＰＨＳ端末６の左側面図、図３（ｃ）は同ＰＨＳ端末６の正面図、図３（ｄ）は同ＰＨＳ端末の右側面図である。なお、図２に対応する部分には同一の符号を付けて説明を省略する。図において、３１は、テンキー、文字、および記号等を入力するダイヤルボタンである。３２は通話ボタンであり、この通話ボタンを押下することによりオフフックとなる。３３は切ボタンであり、通話ボタンを押下してオフフックとした後、この切ボタンを押下することでオンフックとなる。３４はトランシーバ／内線ボタンであり、ＰＨＳ端末同士で直接会話する場合に用いられる。
【００１９】
次に、３５は応答／保留ボタンであり、会話中に保留する場合に押下されるか、あるいは内部に記憶されたボイスメールを相手先へ送信する場合に押下される。３６は、リダイヤルや、短縮番号の登録・削除、通話時間の計測等を行ったり、予め登録しておいた電話番号のデータベースである電話帳を呼び出すための各種機能ボタン群である。また、図３（ｂ）に示す音量ボタン３７は、上記電話帳での前後サーチや、音量調整に用いられる。録音ボタン３８は、相手先からの音声を録音したり、相手先へ送信するボイスメールを本機で録音する際に操作される。また、図３（ｄ）において、４０は、当該ＰＨＳ端末の電源、およびトランシーバ、電話機のいずれかで用いるかを切り換えるスライドスイッチである。また、４１は、本体に着脱可能に設けられたタッチペンであり、上述した表示部１９の液晶表示表面を押圧することにより、各種機能を表すアイコンに割り当てられた機能を実行させたり、選択肢における選択を行う。
【００２０】
Ａ−４．第１の実施例によるスケジュール内容の構成
次に、第１の実施例によるスケジュール内容の構成について説明する。図４は、スケジュール内容である音声データをＰＨＳ端末６のＲＡＭ１８に格納し、ＰＨＳ端末６単体で管理する場合のスケジュール内容の構成を示す模式図である。ＲＡＭ１８には、図４に示すように、イベントの「日付」と、その「時刻（何時から何時まで）」と、そのイベント内容として入力された音声データとが記憶される。上記日付と時刻は、利用者により入力されたデータであり、イベントの開始時刻および終了時刻を示している。また、上記音声データは、マイク１４から入力されたイベント内容であり、既存の方式により圧縮して格納されており、該イベント内容を再生する際には、伸長された後、スピーカ１３により発音される。
【００２１】
Ｂ．第１の実施例の動作
次に、上述した第１の実施例によるＰＨＳ端末の動作について説明する。この第１の実施例では、イベント内容である音声データは、ＰＨＳ端末６のＲＡＭ１８に格納され、ＰＨＳ端末６自身で管理される。なお、以下の説明では、通話に伴う各部の動作については通常のＰＨＳ端末の動作と同様であるので説明を省略する。
Ｂ−１．スケジュール登録処理
まず、上述した実施例によるＰＨＳ端末のスケジュール登録時における動作について説明する。図５は、ＰＨＳ端末のスケジュール登録時における動作を説明するためのフローチャートである。ＰＨＳ端末６において、利用者によってスケジュールモードが選択されると、まず、ステップＳ１０において、所定の日時にイベント内容を入力したり、そのイベント内容である音声データを再生するスケジュールモードに移行する。次に、ステップＳ１２において、利用者にイベントを登録する日付および時刻（開始時刻および終了時刻）を入力させる。日付および時刻の入力は、ダイヤルボタン３１等を用いて入力する。
【００２２】
次に、ステップＳ１４において、録音ボタン３８が押下されたか否かを判断する。そして、録音ボタン３８が押下されていない場合には、ステップＳ１４における判断結果は「ＮＯ」となり、押下されるまで、同ステップＳ１４を繰り返し実行する。一方、利用者によって録音ボタン３８が押下されると、ステップＳ１４における判断結果は「ＹＥＳ」となり、ステップＳ１６へ進む。ステップＳ１６では、利用者によってマイク１４を介して音声でイベント内容が入力される。イベント内容としては、例えば、「……についての会議が会議室１０１号である」とか、「……さんと打ち合わせ予定」とか、利用者が判断できる内容であれば任意に入力できる。次に、ステップＳ１８では、マイク１４から入力される音声をデジタルデータに変換した後、既存の方式で圧縮してＲＡＭ１８に格納していく。そして、ステップＳ２０において、音声の入力が終了したことを示す終了ボタン（図示略）が押下されたか否かを判断する。なお、終了ボタンではなく、上記録音ボタン３８を再度押下することでもよい。
【００２３】
終了ボタンが押下されない場合には、ステップＳ２０における判断結果は「ＮＯ」となり、ステップＳ１６へ戻る。以下、終了ボタン（録音ボタン）が押下されるまで、ステップＳ１６〜Ｓ２０を繰り返し実行して、マイク１４から入力される音声を圧縮してＲＡＭ１８に格納していく。そして、利用者による音声の入力が終了し、終了ボタンが押下されるか、または録音ボタン３８が再度押下されると、ステップＳ２０における判断結果が「ＹＥＳ」となり、ステップＳ２２へ進む。ステップＳ２２では、音声データのＲＡＭ１８への格納（録音）を終了する。次に、ステップＳ２４へ進み、上述したステップＳ１２で入力された日付、時刻とともに、図４に示す形式で音声データを登録し、当該処理を終了する。このようにして、登録するイベントが他にあれば、順次、ＰＨＳ端末６に登録していく。イベント内容は、音声により入力できるので、利用者は繁雑な操作で文字（文章）を入力する必要がない。
【００２４】
Ｂ−２．第１の実施例による再生処理（アラーム鳴動）
次に、第１の実施例によるＰＨＳ端末の再生処理（アラーム鳴動）の動作について説明する。図６は、ＰＨＳ端末のアラーム鳴動を伴う再生処理時における動作を説明するためのフローチャートである。この図６に示すフローチャートは、割り込み処理により所定の時間間隔で実行される。まず、ステップＳ３０において、計時部２０から現在の日付、時刻を取得する。次に、ステップＳ３２において、上記現在の日付および時刻と、図４に示すイベントの日付および時刻とに基づいて、該当するイベントを検索する。ステップＳ３４では、該当するイベントがあるか否かを判断する。そして、該当するイベントがなければ、ステップＳ３４における判断結果は「ＮＯ」となり、何も処理せず、当該処理を終了する。
【００２５】
一方、該当するイベントがあれば、ステップＳ３４における判断結果は「ＹＥＳ」となり、ステップＳ３６へ進む。ステップＳ３６では、スピーカ１３を駆動し、アラームを鳴らす。次に、ステップＳ３８において、利用者によって再生ボタン（図示略）が押下されたか否かを判断する。なお、再生ボタンは、表示部１９に表示されたアイコンでも、録音ボタン３８で代用してもよい。そして、再生ボタンが押下されていない場合には、ステップＳ３８における判断結果は「ＮＯ」となり、ステップＳ３６へ戻る。以下、再生ボタンが押下されるまで、アラームを鳴らし続ける。一方、再生ボタンが押下されると、ステップＳ３８における判断結果が「ＹＥＳ」となり、ステップＳ４０へ進む。ステップＳ４０では、アラームを停止した後、該当する音声データを伸長してスピーカ１３から再生（発音）する。そして、音声データの再生が終了すると、当該割り込み処理を終了する。
【００２６】
Ｂ−３．第１の実施例による再生処理（確認）
次に、第１の実施例によるＰＨＳ端末の再生処理（確認）の動作について説明する。図７は、ＰＨＳ端末において、利用者が任意の登録済みイベントを確認等のために再生する再生処理時における動作を説明するためのフローチャートである。ＰＨＳ端末６において、利用者によってスケジュールモードが選択されると、ステップＳ５０において、スケジュールモードに移行する。次に、ステップＳ５２において、表示部１９に「週単位」または「月単位」のどちらのカレンダを表示させるかを利用者に選択させる。次に、ステップＳ５２において、週単位のカレンダを表示するか、または月単位のカレンダを表示するかを判断する。なお、スケジュールモードに入ると、現在の日付を開始日とする週単位のカレンダ、もしくは現在の日付を含む「月単位」のカレンダのいずれか一方を強制的に表示し、所定のアイコンをポイントすることで、相互に切り換えるようにしてもよい。
【００２７】
ここで、利用者が「週単位」を選択したとすると、ステップＳ５２からステップＳ５４へ進む。ステップＳ５４では、現在の日付を開始日とする週単位のカレンダを表示部１９に表示する。図８（ａ）は、表示部１９に表示された週単位のカレンダの一表示例を示す模式図である。表示部１９には、図示するように、表示されている範囲（「１９９４年４／１７−４／２３」）、１週間分の日付、および各日に登録されているイベント（ハッチング部分）が表示される。イベントが登録されている時刻は、日付の横方向での位置で示されている。この状態で、カーソル（アイコン）１９ａをタッチペン４１でタッチすれば、表示が上方にスクロールし、２３日以降のスケジュールを見ることができ、カーソル（アイコン）１９ｂをタッチすれば、表示が下方にスクロールし、１７日以前のスケジュールを見ることができる。
【００２８】
一方、利用者が「月単位」を選択した場合には、ステップＳ５２からステップＳ５６へ進む。ステップＳ５６では、現在の日付が含まれる月単位のカレンダを表示部１９に表示する。図８（ｂ）は、表示部１９に表示された月単位のカレンダの一表示例を示す模式図である。表示部１９には、図示するように、表示されている年月（「１９９４年４月」）、曜日、１カ月分の日付、および各日に登録されているイベント（ハッチング部分）が表示される。この状態で、カーソル（アイコン）１９ａをタッチペン４１でタッチすれば、表示が切り替わり、現在表示されている月の１カ月前（３月）のスケジュールを見ることができ、カーソル（アイコン）１９ｂをタッチすれば、現在表示されている月の１カ月後（５月）のスケジュールを見ることができる。
【００２９】
図８（ａ）、（ｂ）のいずれの場合であっても、カンレダを表示すると、ステップＳ５８へ進む。ステップＳ５８では、再生させたいイベントを利用者に選択させる。イベントの選択は、図８（ａ），（ｂ）に示すハッチング部分をタッチペン４１でタッチすることにより行われる。利用者が再生したいイベントを選択すると、ステップＳ６０へ進み、選択されたイベントに対応する音声データをＲＡＭ１８から読み込んで伸長した後、スピーカ１３から再生（発音）する。図９は、再生時における表示部１９の一表示例を示す模式図である。図示のように、表示部１９には、再生中のイベントの日付と時刻が表示される。次に、ステップＳ６２において、利用者によって再生処理の終了が指示されたか否かを判断する。当該再生処理の終了は、表示部１９に表示された「中止」アイコンをタッチすることで指示される。再生処理の終了が指示されない場合には、ステップＳ６２における判断結果は「ＮＯ」となり、ステップＳ５２へ戻る。以下、ステップＳ５２〜ステップＳ６２を繰り返し実行し、利用者によって選択されたイベントの内容である音声データを再生する。一方、再生処理の終了が指示されると、ステップＳ６２における判断結果が「ＹＥＳ」となり、当該再生処理を終了する。
【００３０】
Ｃ．第２の実施例によるスケジュールデータの構成
次に、第２の実施例によるスケジュールデータの構成について説明する。第２の実施例では、前述したように、イベントの内容である音声データを電話回線網４上に設けられたデータベース３に格納し、電話回線網４側のサービス管理局２で管理する。図１０（ａ）は、ＰＨＳ端末６のＲＡＭ１８に保持されるデータの構成を示す模式図であり、図１０（ｂ）は、ＰＨＳ端末６から電話回線網４側のサービス管理局２に送信されるデータの構成を示す模式図、図１０（ｃ）は、サービス管理局２のデータベース３に保持されるデータの構成を示す模式図である。まず、ＰＨＳ端末６のＲＡＭ１８には、図１０（ａ）に示すように、イベントの「日付」と、その「時刻（開始時刻、終了時刻）」と、そのイベント（その内容である音声データ）に対して付けられたデータＩＤとが記憶される。該データＩＤは、イベント内容として入力された音声データを識別するためのデータであり、音声データに１対１で対応する。
【００３１】
次に、電話回線網４側のサービス管理局２には、図１０（ｂ）に示すように、ＰＨＳ端末６から上記データＩＤとそれに対応する音声データ（圧縮）とが送信されるようになっている。また、サービス管理局２のデータベース３には、図１０（ｃ）に示すように、上記ＰＨＳ端末６から送信されてきたデータＩＤと音声データとが順次記憶されるようになっている。上記音声データは、マイク１４から入力されたイベント内容であり、既存の方式により圧縮されている。このように、第２の実施例では、大きな記憶容量を要する音声データを電話回線網４側に保持することで、ＰＨＳ端末６に大容量の記憶手段を備える必要がなくなるので、コストアップや、大型化することなく、本発明を有効に実現できる。
【００３２】
Ｄ．第２の実施例の動作
次に、上述した第２の実施例によるＰＨＳ端末の動作について説明する。
Ｄ−１．スケジュール登録処理
まず、本第２の実施例によるＰＨＳ端末のスケジュール登録時における動作について説明する。図１１は、ＰＨＳ端末のスケジュール登録時における動作を説明するためのフローチャートである。ＰＨＳ端末６において、利用者によってスケジュールモードが選択されると、まず、ステップＳ７０で、イベントを入力したり、そのイベント内容である音声データを再生するスケジュールモードに移行する。次に、ステップＳ７２において、利用者にイベントを登録する日付および時刻（開始時刻および終了時刻）を入力させる。日付および時刻の入力は、第１の実施例と同様に、ダイヤルボタン３１等を用いて入力する。
【００３３】
次に、ステップＳ７４において、録音ボタン３８が押下されたか否かを判断する。そして、録音ボタン３８が押下されていない場合には、ステップＳ７４における判断結果は「ＮＯ」となり、押下されるまで、同ステップＳ７４を繰り返し実行する。一方、利用者によって録音ボタン３８が押下されると、ステップＳ７４における判断結果は「ＹＥＳ」となり、ステップＳ７６へ進む。ステップＳ７６では、無線基地局５へ電話回線網４との接続要求を送信する。これに対して、電話回線網４では、接続要求を受信すると、ステップＳ９０において、回線を接続する。次いで、ステップＳ９２において、音声データを受信したか否かを判断する。そして、音声データが受信されなければ、同ステップＳ９２を繰り返し実行する。
【００３４】
一方、ＰＨＳ端末６では、ステップＳ７８へ進み、利用者によってマイク１４を介して音声でイベント内容を入力し、デジタルデータに変換した後、既存の方式で圧縮して一旦、ＲＡＭ１８に格納する。次に、ステップＳ８０において、音声の入力が終了したことを示す終了ボタン（図示略）が押下されたか否かを判断する。なお、終了ボタンではなく、上記録音ボタン３８を再度押下することでもよい。そして、終了ボタンが押下されない場合には、ステップＳ８０における判断結果は「ＮＯ」となり、ステップＳ７８へ戻る。以下、終了ボタン（録音ボタン）が押下されるまで、ステップＳ７８，Ｓ８０を繰り返し実行して、マイク１４から入力される音声を圧縮して一旦、ＲＡＭ１８に格納する。そして、利用者による音声の入力が終了し、終了ボタンが押下されるか、または録音ボタン３８が再度押下されると、ステップＳ８０における判断結果が「ＹＥＳ」となり、ステップＳ８２へ進む。ステップＳ８２では、音声データにデータＩＤを割り当て、無線基地局５を介して、データＩＤとともに、イベント内容である上記音声データをサービス管理局２へ送信する。
【００３５】
これに対して、電話回線網４側のサービス管理局２では、音声データを受信すると、ステップＳ９２における判断結果が「ＹＥＳ」となり、ステップＳ９４へ進む。ステップＳ９４では、受信したデータＩＤと音声データとを図１０（ｃ）に示す形式でデータベース３に格納する。次に、ステップＳ９６において、ＰＨＳ端末６から切断要求があったか否かを判断する。そして、切断要求があるまで、ステップＳ９６を繰り返し実行する。一方、ＰＨＳ端末６では、データＩＤと音声データの送信が終了すると、ステップＳ８４へ進み、音声のＲＡＭ１８への格納（録音）を終了し、録音終了を示す切断要求を電話回線網４側のサービス管理局２へ送信する。これに対して、電話回線網４側のサービス管理局２では、上記切断要求を受信すると、ステップＳ９６における判断結果が「ＹＥＳ」となり、ステップＳ９８へ進む。ステップＳ９８では、回線を切断し、当該処理を終了する。一方、ＰＨＳ端末６では、ステップＳ８６へ進み、図１０（ａ）に示す形式で、ステップＳ７２で入力された日付および時刻とともに、データＩＤをＲＡＭ１８に記憶した後、音声データを消去し、当該登録処理を終了する。このようにして、登録するイベントが他にあれば、順次、ＰＨＳ端末６に登録していく。イベント内容は、音声により入力できるので、利用者は繁雑な操作で文字（文章）を入力する必要がない。また、音声データは、電話回線網４側に保持されるので、ＰＨＳ端末６に大容量の記憶手段を備える必要がない。
【００３６】
Ｄ−２．第２の実施例による再生処理（アラーム鳴動）
次に、第２の実施例によるＰＨＳ端末の再生処理（アラーム鳴動）の動作について説明する。図１２は、アラーム鳴動を伴う再生処理時における動作を説明するためのフローチャートである。この図１２に示すフローチャートは、割り込み処理により所定の時間間隔で実行される。まず、ステップＳ１００において、計時部２０から現在の日付、時刻を取得する。次に、ステップＳ１０２において、上記現在の日付および時刻と、図１０（ａ）に示すイベントの日付および時刻とに基づいて、該当するイベントを検索する。ステップＳ１０４では、該当するイベントがあるか否かを判断する。そして、該当するイベントがなければ、ステップＳ１０４における判断結果は「ＮＯ」となり、何も処理せず、当該処理を終了する。
【００３７】
一方、該当するイベントがあれば、ステップＳ１０４における判断結果は「ＹＥＳ」となり、ステップＳ１０６へ進む。ステップＳ１０６では、スピーカ１３を駆動し、アラームを鳴らす。次に、ステップＳ１０８において、利用者によって再生ボタン（図示略）が押下されたか否かを判断する。なお、再生ボタンは、第１の実施例と同様に、表示部１９に表示されたアイコンでも、録音ボタン３８で代用してもよい。そして、再生ボタンが押下されていない場合には、ステップＳ１０８における判断結果は「ＮＯ」となり、ステップＳ１０６へ戻る。以下、再生ボタンが押下されるまで、アラームを鳴らし続ける。一方、再生ボタンが押下されると、ステップＳ１０８における判断結果が「ＹＥＳ」となり、ステップＳ１１０へ進む。ステップＳ１１０では、アラームを停止した後、無線基地局５へ電話回線網４との接続要求を送信する。これに対して、電話回線網４では、ステップＳ１２０で回線を接続する。ＰＨＳ端末６では、次に、ステップＳ１１２へ進み、該当する音声データのデータＩＤを送信する。これに対して、電話回線網４側のサービス管理局２では、ステップＳ１２２において、受信した上記データＩＤに基づいて、データベース３から該当する音声データを検索する。そして、ステップＳ１２４において、該当する音声データを、無線基地局５を介して、ＰＨＳ端末６へ送信する。一方、ＰＨＳ端末６では、ステップＳ１１４において、上記音声データを受信した後、伸長してスピーカ１３から再生（発音）する。そして、音声データの再生が終了すると、当該割り込み処理を終了する。
【００３８】
Ｄ−３．第２の実施例による再生処理（確認）
次に、第２の実施例によるＰＨＳ端末の再生処理（確認）の動作について説明する。図１３は、ＰＨＳ端末６において、利用者が任意の登録済みイベントを確認等のための再生処理時における動作を説明するためのフローチャートである。ＰＨＳ端末６において、利用者によってスケジュールモードが選択されると、ステップＳ１３０において、スケジュールモードに移行する。次に、ステップＳ１３２において、表示部１９に「週単位」または「月単位」のいずれのカレンダを表示する。いずれのカレンダを表示させるかは、前述した第１の実施例と同様であるので説明を省略する。また、表示例は、図８（ａ）ないし図８（ｃ）に示すものと同一である。次に、ステップＳ１３４において、利用者に再生させたいイベントを選択させる。利用者が再生したいイベントを選択すると、ステップＳ１３６へ進み、無線基地局５へ電話回線網４との接続要求を送信する。
【００３９】
これに対して、電話回線網４では、ステップＳ１５０で回線を接続する。ＰＨＳ端末６では、次に、ステップＳ１３８へ進み、該当する音声データのデータＩＤを送信する。これに対して、電話回線網４側のサービス管理局２では、ステップＳ１５２において、受信した上記データＩＤに基づいて、データベース３から該当する音声データを検索する。そして、ステップＳ１５４において、該当する音声データを、無線基地局５を介してＰＨＳ端末６へ送信する。一方、ＰＨＳ端末６では、ステップＳ１４０において、上記音声データを受信した後、伸長してスピーカ１３から再生（発音）する。このとき、表示部１９には、図９に示すように、再生中のイベントの日付と時刻が表示される。次に、ステップＳ１４２において、利用者によって再生処理の終了が指示されたか否かを判断する。そして、再生処理の終了が指示されない場合には、ステップＳ１３４〜ステップＳ１４２を繰り返し実行し、利用者によって選択されたイベントの音声データを再生する。一方、再生処理の終了が指示されると、ステップＳ１４２における判断結果が「ＹＥＳ」となり、当該再生処理を終了する。
【００４０】
このように、上述した第１および第２の実施例では、イベント内容を音声で入力するようにしたので、イベント内容を面倒な文字入力を行うことなく、容易に入力でき、利用者の負担を軽減できる。また、第２の実施例では、イベント内容として入力された音声を、電話回線網４（データベース３）側に保持するようにしたので、ＰＨＳ端末６に大容量の記憶手段を備える必要がなくなるので、コストアップや、大型化することなく、本発明を有効に実現できる。なお、上述した実施例では、端末としてＰＨＳ端末について説明したが、特に、第１の実施例は、イベント内容を端末自身に記憶するようにしているので、通信機能を有していない携帯情報端末にも適用可能である。また、アラーム音は、所定時間前に鳴らしてもいいし、所定時間に一括して鳴らしてもよい。
【００４１】
【発明の効果】
本発明によれば、前記携帯情報端末において、音声により入力されたイベント内容とその日時のうちイベント内容を当該イベント内容に割り当てられた前記識別情報と共に前記蓄積装置に送信すると共に、当該イベント内容に割り当てられた前記識別情報と当該イベントの日時とを内部メモリに記憶保持し、前記情報蓄積装置は、前記携帯情報端末から送られてきたイベント内容と識別情報とを対応付けて記憶するようにし、且つ前記携帯情報端末は、イベント内容の確認が必要な際には、内部メモリに記憶している識別情報を前記情報蓄積手段へ送信することにより、情報蓄積手段から取り寄せることができるようにしたので、携帯情報端末に大容量の記憶手段を備える必要がなくなり、コストアップや、大型化することがないという利点が得られる。
【図面の簡単な説明】
【図１】本発明の一実施例によるＰＨＳ端末等の無線通信システムの構成を示すブロック図である。
【図２】本実施例によるＰＨＳ端末の構成を示すブロック図である。
【図３】本実施例によるＰＨＳ端末の外観構成を示す模式図である。
【図４】本発明の第１の実施例によるＰＨＳ端末に記憶されるスケジュールデータの構成を示す模式図である。
【図５】本第１の実施例によるイベント登録時の動作を説明するためのフローチャートである。
【図６】本第１の実施例によるイベント再生時（アラーム鳴動あり）の動作を説明するためのフローチャートである。
【図７】本第１の実施例によるイベント再生時（確認）の動作を説明するためのフローチャートである。
【図８】本第１および第２の実施例によるＰＨＳ端末の表示部での表示例を示す模式図である。
【図９】本第１および第２の実施例によるＰＨＳ端末の表示部での表示例を示す模式図である。
【図１０】本発明の第２の実施例によるＰＨＳ端末に記憶されるデータ、ＰＨＳ端末から電話回線網へ送信されるデータ、および電話回線網に保持されるデータの構成を示す模式図である。
【図１１】本第２の実施例によるイベント登録時の動作を説明するためのフローチャートである。
【図１２】本第２の実施例によるイベント再生時（アラーム鳴動あり）の動作を説明するためのフローチャートである。
【図１３】本第２の実施例によるイベント再生時（確認）の動作を説明するためのフローチャートである。
【符号の説明】
１  網管理局
２  サービス管理局
３  データベース
４  電話回線網（通信回線網）
５  無線基地局
６  ＰＨＳ端末（携帯情報端末、無線通信携帯情報端末）
７  電話機
ＡＮＴ  アンテナ
１０  送受信部
１１  通信制御部
１２  音声処理部
１３  スピーカ（発音手段）
１４  マイク（音声入力手段）
１５  キー入力部
１６  制御部（再生手段）
１７  ＲＯＭ
１８  ＲＡＭ（スケジュール記憶手段）
１９  表示部（表示手段、選択手段）
３１  ダイヤルボタン（日時入力手段）
３２  通話ボタン
３３  切ボタン
３４  トランシーバ／内線ボタン
３５  応答／保留ボタン
３６  各種機能ボタン
３７  音量ボタン
３８  録音ボタン（再生指示手段）
４０  スライドスイッチ
４１  タッチペン（選択手段）
【図１】
0003821240.tif 000002
【図２】
0003821240.tif 000003
【図３】
0003821240.tif 000004
【図４】
0003821240.tif 000005
【図５】
0003821240.tif 000006
【図６】
0003821240.tif 000007
【図７】
0003821240.tif 000008
【図８】
0003821240.tif 000009
【図９】
0003821240.tif 000010
【図１０】
0003821240.tif 000011
【図１１】
0003821240.tif 000012
【図１２】
0003821240.tif 000013
【図１３】
0003821240.tif 000014